(57)【要約】【課題】  この発明は、ＰＤＰパネル、液晶パネル、有機ＥＬパネル、ＣＲＴ等の映像表示機器に関する。この発明は、映像表示時にディスプレイの両側部に黒帯が表示される映像表示機器において、視聴者に不快感を与えることなく、画面の焼き付き現象を防止できる映像表示機器を提供することを目的とする。【解決手段】  映像表示時にディスプレイの両側部に黒帯が表示される映像表示機器において、電源オン時に、映像表示位置を移動させる手段を備えている。【選択図】  図３
2006211044.tif 000002
【特許請求の範囲】
【請求項１】
映像表示時にディスプレイの両側部に黒帯が表示される映像表示機器において、電源オン時に、映像表示位置を移動させる手段を備えていることを特徴とする。
【発明の詳細な説明】
【技術分野】
【０００１】
この発明は、ＰＤＰパネル、液晶パネル、有機ＥＬパネル、ＣＲＴ等の映像表示機器に関する。
【背景技術】
【０００２】
映像表示機器の画面焼き付き防止方法としては、特開平６−３３２４１８号公報に開示された方法がある。この方法は、動き検出回路によって静止画であることの検出を行ない、設定時間以上同一の静止画が表示され続けるような場合に、映像表示位置を移動させるものである。
【０００３】
しかしながら、この方法では、静止画であるにもかかわらず、一定時間毎に映像表示位置が移動するので、視聴者はその映像表示位置の移動を視認するため、違和感を覚える。また、この方法では、動き検出回路が必要であるため、コストアップとなる。さらに、動画であっても、いわゆるロゴやメニュー表示といった、一部分のみ静止画の映像が表示される場合、静止画であると判定できず、その静止画部分に画面焼き付きが生じてしまう。      
【０００４】
ところで、縦横比が９：１６のディスプレイを備えているが、３：４のアスペクト比の映像を表示するような映像表示機器においては、図４に示すように、テレビ番組映像はディスプレイの表示領域１００の左右両側部の内側に表示され、テレビ番組映像が表示されない左右両側部には黒帯１０１がオンスクリーン表示される。このような場合には、表示される映像が動画であるか静止画であるかにかかわらず、映像が表示されている領域と黒帯部分１０１との境界で輝度の差が生じ、長時間継続すると映像が表示されている領域と黒帯部分との境界で焼き付きが生じる。
【０００５】
これを防止するためには、表示される映像が動画であるか静止画であるかにかかわらず、一定時間毎に表示画面を移動させる必要がある。しかしながら、一定時間毎に表示画面を移動させると、視聴者はその映像表示位置の移動を視認するため、違和感を覚える。
【特許文献１】特開平６−３３２４１８号公報
【特許文献２】特開２００４−３２８５２０号公報
【発明の開示】
【発明が解決しようとする課題】
【０００６】
この発明は、映像表示時にディスプレイの両側部に黒帯が表示される映像表示機器において、視聴者に不快感を与えることなく、画面の焼き付き現象を防止できる映像表示機器を提供することを目的とする。
【課題を解決するための手段】
【０００７】
請求項１に記載の発明は、映像表示時にディスプレイの両側部に黒帯が表示される映像表示機器において、電源オン時に、映像表示位置を移動させる手段を備えていることを特徴とする。
【発明の効果】
【０００８】
本発明によれば、映像表示時にディスプレイの両側部に黒帯が表示される映像表示機器において、視聴者に不快感を与えることなく、画面の焼き付き現象を防止できるようになる。
【発明を実施するための最良の形態】
【０００９】
以下、図面を参照して、この発明の実施例について説明する。
【実施例１】
【００１０】
図１は、映像表示機器の構成を示している。
【００１１】
テレビチューナによって得られる映像信号は、画像シフト部１および映像信号処理部２を介してディスプレイ３に送られる。映像シフト部１および映像信号処理部２は、制御部１０によって制御される。
【００１２】
ディスプレイ３としては、縦横比が９：１６のものが用いられている。テレビチューナによって得られる映像信号は、４：３のアスペクト比の映像である。このため、映像をディスプレイ３に表示する場合には、図４に示すように、テレビ番組映像はディスプレイ３の表示領域１００の左右両側部の内側に表示され、テレビ番組映像が表示されない左右両側部には黒帯１０１がオンスクリーン表示される。
【００１３】
この映像表示機器では、電源がオンされる毎に、テレビ番組映像の表示位置（映像表示位置）を切り換えるようにしている。この例では、映像表示位置としては、図２（ａ）に示す第１映像表示位置と、図２（ｂ）に示す第２映像表示位置とがあり、電源がオンされる毎にこれらの２つの位置の間で映像表示位置が切り換えられる。
【００１４】
第１映像表示位置では、テレビ番組映像表示の左端が位置Ｌ１にあり、テレビ番組映像表示の右端が位置Ｒ１にある。第２映像表示位置では、テレビ番組映像表示の左端が位置Ｌ１より所定幅Δだけ左側の位置Ｌ２にあり、テレビ番組映像表示の右端が位置Ｒ１より所定幅Δだけ左側の位置Ｒ２にある。
【００１５】
図３は、電源オン時に行われる映像表示位置の制御処理手順を示している。
【００１６】
電源がオンされると（ステップＳ１）、前回の映像表示位置を示すデータを図示しない不揮発性メモリから読み込む（ステップＳ２）。そして、前回の映像表示位置を示すデータに基づいて、前回の映像表示位置が第１映像表示位置であるか第２映像表示位置であるかを判別する（ステップＳ３）。
【００１７】
前回の映像表示位置が第１映像表示位置である場合には、映像表示位置が第２映像表示位置となるように映像表示位置を移動させる（ステップＳ４）。具体的には、映像表示位置が第２映像表示位置となるようにテレビ番組映像をシフトする。また、映像表示位置を示すデータとして、第２映像表示位置を示すデータを不揮発性メモリに記憶する（ステップＳ５）。そして、今回の処理を終了する。
【００１８】
上記ステップＳ３において、前回の映像表示位置が第２映像表示位置であると判別された場合には、映像表示位置が第１映像表示位置となるように映像表示位置を移動させる（ステップＳ６）。具体的には、映像表示位置が第１映像表示位置となるとなるようにテレビ番組映像をシフトする。また、映像表示位置を示すデータとして、第１映像表示位置を示すデータを不揮発性メモリに記憶する（ステップＳ７）。そして、今回の処理を終了する。
【００１９】
上記実施例では、電源をオンする毎に、映像表示位置が第１映像表示位置と第２映像表示位置との間で切り換えられる。このため、映像が表示されている領域と黒帯部分１０１との境界部での焼き付きが低減される。
【００２０】
上記実施例では、映像表示位置を２つの異なる映像表示位置の間で切り換えているが、３以上の異なる映像表示位置の間で映像表示位置を切り換えるようにしてもよい。
【図面の簡単な説明】
【００２１】
【図１】映像表示機器の構成を示すブロック図である。
【図２】第１映像表示位置と第２映像表示位置とを示す模式図である。
【図３】電源オン時に行われる映像表示位置の制御処理手順を示すフローチャートである。
【図４】縦横比が９：１６のディスプレイに、３：４のアスペクト比の映像を表示した場合に、左右部分に黒帯部分が表示されることを示す模式図である。
【符号の説明】
【００２２】
１  画像シフト部
２  映像信号処理部
３  ディスプレイ
１０  制御部
【図１】
2006211044.tif 000003
【図２】
2006211044.tif 000004
【図３】
2006211044.tif 000005
【図４】
2006211044.tif 000006